(57)【特許請求の範囲】
【請求項１】
加入者接続線路（ＴＬ）を、所属の加入者接続回路（ＳＬＣ）および接続されたデジタル遠隔通信システムの加入者端末機と共に検査する方法であって、
加入者接続個別に、または少なくとも加入者接続回路のグループに対してデジタルシグナルプロセッサが設けられており、
該デジタルシグナルプロセッサは、遠隔通信トラフィックに関連する加入者接続の機能を有し、
当該デジタルシグナルプロセッサにより複数の種々異なる検査機能が機能エラーの識別のために順次実行される形式の方法において、
前記のようにしてデジタルシグナルプロセッサにより検出された検査結果データを固有の選択基準に注意して中央個所に収集し、
加入者接続線路も含まれる加入者接続領域のちょうど障害除去手段が実行される個所に伝送する、
ことを特徴とする検査方法。
【請求項２】
検査結果データの伝送は、障害除去手段の実行と時間的に接近して発生した検査結果データに制限する、請求項１記載の方法。
【請求項３】
エラーを指示する検査結果が存在する場合該当する遠隔通信加入者に、遠隔通信接続の形成に際し、または接続中に、エラーシグナリングを供給する、請求項１記載の方法。
【請求項４】
発呼遠隔通信接続の場合、エラーシグナリングをダイヤルトーンの発生中に行う、請求項３記載の方法。
【請求項５】
着呼遠隔通信接続の場合、エラー通報をアナウンスの形態で行い、そのために会議接続を形成し、該会議接続には遠隔通信を出力する施設も取り入れられる、請求項３記載の方法。
【発明の詳細な説明】
【０００１】
本発明は、加入者接続線路を、所属の加入者接続回路および接続されたデジタル遠隔通信システムの加入者端末機と共に検査する方法に関する。
【０００２】
これまで加入者接続の検査は専ら中央検査装置を用いて行われていた。この中央検査装置は、該当する加入者接続への検査接続を形成することにより有効に切り替えられる。すなわちこのような検査は規則的に比較的に大きな時間間隔をおいてのみ実行されるものであり、この時間間隔は毎週または毎月の間隔である。実際にはそのために、発生するエラーの大部分がユーザの苦情によって発見され、その苦情も種類によっては最初のエラー識別から時間がたってから対応される。そのためできるだけ迅速にエラー処理できる組織編成が非常に困難となる。
【０００３】
しかし加入者接続回路においてその機能を少なくとも部分的にデジタルシグナルプロセッサを使用して実現することがすでに公知であり、このシグナルプロセッサを線路パラメータの評価の他に、検査の実行に利用することができる（欧州特許願０４５１７５９Ａ３）。ここで公知の解決手段ではこの目的のために、加入者接続の送信分岐と受信分岐へのアクセス点が形成される。このアクセス点には加入者接続回路の動作時に電圧が発生し、この電圧が種々の組合せで、所定の検査結果を得るために評価される。
【０００４】
従って加入者接続回路の検査はここでは分散的であり、オンラインで行うことができる。
【０００５】
現代のデジタルシグナルプロセッサの能力からして、加入者接続の機能の実現によりその全ての能力を十分に活用しているとは言えない。
【０００６】
従って前記の検査コンセプトにおいて、擬似恒久的かつ自立的に多数の種々異なる検査機能を機能エラーの識別のために順次実行することが可能である。擬似恒久的に実行することにより持続的な検査検出との相違が書き換えられる。この相違は一方では、すでに述べたデジタルシグナルプロセッサがこの関連で他のメインタスクを有することにより生じるものであり、他方では、デジタルシグナルプロセッサが場合により多数の加入者接続を管轄するため、個々の接続については時分割多重動作でしか使用できないためである。
【０００７】
このような統合型検査システムにより、エラーを加入者接続領域で規則的に識別し、エラーの種類に応じて可能な場合には、これをユーザが気づく前にすでに除去することができる。
【０００８】
本発明の課題は、このような統合型検査コンセプトの手段を使用してユーザ価値をさらに向上させることである。
【０００９】
この課題は請求項１記載の方法により解決される。
【００１０】
それゆえ、公知のように分散的に検出された検査結果データを、固有の選択基準に注意して中央個所に収集し、具体的な必要状況では加入者接続領域（これには加入者接続線路が所属する）の所定個所に伝送することができる。この所定個所には加入者接続線路も含まれる。
【００１１】
本発明の方法を適用する際には、機能テストを個々の加入者接続において分間隔で実行することができる。
【００１２】
本発明のさらなる構成は従属請求項に記載されている。
【００１３】
請求項２よれば、中央個所に収集された検査結果が、障害除去手段のちょうど実行される場所に伝送される。ただしこれは検査結果が対象となる地理的領域に該当する場合である。この手段は、障害を隣接する加入者線路で引き起こす危険性のある障害除去手段ないし管理手段において、すなわち例えば交換機において有利である。保守技術者が交換ボックスでの加入者接続線路の交換直後に検査結果データを得ることができる場合、このようなシーケンスエラーを識別し、同時に除去することができる。ここで得られる検査結果データはこの交換ボックスにアクセスする他の加入者接続線路に該当するものであり、本発明の擬似恒久的検査によって更新されている。
【００１４】
請求項３によれば、検査結果データを障害除去手段の実行個所に伝送する際、有利には地理的制限に加えてこのような検査結果データに時間的制限も加える。すなわち検査結果データを、障害除去個所での手段の実行に時間的に近いものに制限する。このことにより、障害除去手段とシーケンスエラーとの原因となる関連性をよりよく識別することができる。
【００１５】
請求項４によれば、該当する遠隔通信加入者にエラーシグナリングを、遠隔通信接続が形成される際に供給する。そしてこれにより加入者は自身が気づく前に機能障害について指示される。
【００１６】
請求項５によれば、このような信号シグナリングは発呼遠隔通信接続の場合、ダイヤルトーンの発生中に行うことができる。
【００１７】
請求項６によれば、着呼遠隔通信接続の場合、機能障害が存在することについての情報をアナウンスの形態で行うことができ、そのために会議接続が形成される。
【００１８】
以下本発明を実施例に基づき、図面を参照して詳細に説明する。
【００１９】
図１は、線路検査が集中的に行われる遠隔交換装置のブロック回路図である。
【００２０】
図２は、線路検査が本発明により行われる遠隔交換装置の相応の図である。
【００２１】
図１には、遠隔交換装置の重要構成部材としていわゆるデジタル加入者線路ユニットＤＬＵ、接続グループＬＴＧ、中央交換網ＳＮ、並びに中央協調プロセッサＣＰが示されている。
【００２２】
デジタル加入者線路ユニットＤＬＵには加入者線路ＴＬが接続されており、この線路はここに図示しない加入者端末機と接続されている。実際にはこれは１０００までの線路とすることができる。さらに接続線路をサブ交換装置と接続することもできる。サブ交換装置にも本発明を相応に適用することができるが、ここでは詳細に説明しない。
【００２３】
加入者線路はデジタル加入者線路ユニットＤＬＵにおいて加入者線路個別の加入者接続回路ＳＬＣに接続している。この実施例では、それぞれ１６のそのような加入者接続回路が１つの加入者接続構成群ＳＬＭＡに統合されている。
【００２４】
実際には多数のこのようなデジタル加入者接続ユニットが存在する。デジタル加入者接続ユニットは取り外すことができ、また交換局の隣接領域に配置することができる。実現実施例ではこのユニットは安全性の理由から接続群ＬＴＧのそれぞれ２つと接続されている。
【００２５】
前記の加入者線路ＴＬを、これに接続された加入者端末機および線路個別の加入者接続回路ＳＬＣと共に中央で検査するために共通の測定装置ＭＫが設けられている。この測定装置を前記の加入者個別の構成部材に選択的に接続することは、デジタル線路ユニットＤＬＵのカプラ構成群ＫＧを介して行われる。
【００２６】
前記部分の検査を測定装置ＭＫによって実行するために、外部のテストシステムＥＴへの検査接続が形成される。この検査接続は遠隔通信網ＰＳＴＮを介して導かれる。この検査接続には一部を図示し、説明した遠隔通信交換局も含まれる。
【００２７】
図にはさらに交換局に所属する管理中央局ＢＣＴが示されている。この管理中央局から実行すべき検査がスタートされる。
【００２８】
前記の加入者接続回路ＳＬＣは実質的に、加入者線路給電、過電圧保護、端末機からのおよび端末機へのシグナリングの送信および受信の呼び出し給電、コーディングおよびフィルタリング、並びに２線−４線変換の機能を果たす。
【００２９】
図２の遠隔通信交換局では本発明の方法が適用される。この遠隔通信装置では、加入者接続回路ＳＬＣの機能の一部、すなわちコーディングおよびフィルタリング、２線−４線変換の機能がデジタルシグナルプロセッサを使用して実行されることが前提とされる。デジタルシグナルプロセッサは加入者個別に、すなわち加入者接続回路の構成部材として、または例えば４または８の加入者接続回路群に対して共通に、すなわち加入者接続群ＳＬＭＡの構成部材として設けることができる。
【００３０】
現在の構成形式のデジタルシグナルプロセッサは、加入者接続との関連で生じる前記の機能によっては十分に能力が発揮できないほど高性能である。従ってプロセッサをこれらタスクに加えて、加入者線路、加入者端末機および加入者回路に関する検査タスクを実行するために利用することができる。この目的のために、このようなプロセッサはデジタルインタフェースを介して受信経路および送信経路の種々の個所にアクセスし、これにより当該個所に発生する電圧を種々の組合せで評価し、これにより抵抗値および容量値を検出することができる。これら抵抗値および容量値から正常状態または加入者接続線の障害と欠陥の存在について推定することができる。これについては前記の欧州特許願０４５１７５９Ａ３を参照されたい。
【００３１】
従って図１に基づいて示した関係とは異なり、検査機能が分散され、かつ加入者接続回路ＳＬＣまたはこのような加入者接続回路にまとめられた加入者接続構成群ＳＬＭＡに統合される。図２ではこのことは、ＩＬＴＦ（Integrated Line Test Functions）の付記により、加入者接続構成群ＳＬＭＡに対する符号に示されている。
【００３２】
分散的に検出された検査結果データは管理中央局ＢＣＴ／ＩＬＭＰに通報され、そこに収集される。測定結果の評価は既存のテストシステムＥＴを介して行われる。従ってこれも図２に示されている。ＩＬＭＴ（Integrated Line Maintenance Position）を符号ＢＣＴ（これは管理中央局を示す）に付記することにより、検査機能の実行が自立的であることが意味される。
【００３３】
図２からさらに、非集中的測定装置ＭＫとこれへの接続に必要なカップラ構成群を省略できることがわかる。
【００３４】
具体的な必要状況では、収集された検査結果値が固有の選択基準に注意して加入者接続領域の所定の個所に伝送される。この所定の個所には検査結果が生じた加入者接続線路も含まれる。
【００３５】
このような必要状況とは、障害除去手段または管理手段を例えば交換ボックスで実行することであり得る。そこでアクセスされる端子に関連する検査結果データは本発明により前記個所に伝送され、そこに接続された適切な機器により識別することができる。検査データ検出は擬似恒久的なものであるから検査データは最新のものであり、従って実行された障害除去手段または管理手段に対する応答は交換の場合のように直接現地で識別することができる。とりわけ実行された手段の経過中にシーケンスエラーが発生する場合、このエラーを処理することもできる。実行された手段と得られた検査結果との関連性を高めるためには、検査結果データの伝送を、前記手段の実行と時間的に近くで発生した検査結果データに制限する。
【００３６】
検査結果データの伝送は収集個所から行うことができるが、該当する遠隔通信加入者のエラー通報に、遠隔通信接続の形成途中で、または当該接続中に用いることもできる。
【００３７】
発呼接続の場合、エラー通報はダイヤルトーンの発生中に行うことができる。着呼接続の場合、アナウンスの形態で行うことができる。そのために会議接続が形成され、この接続には管理中央局も取り入れられる。
【図面の簡単な説明】
【図１】  図１は、線路検査が集中的に行われる遠隔交換装置のブロック回路図である。
【図２】  図２は、線路検査が本発明により行われる遠隔交換装置の相応の図である。
【図１】
0004082867.tif 000002
【図２】
0004082867.tif 000003